(57)【特許請求の範囲】
【請求項１】
表面側に開口部が形成され、この開口部の外周部に外側が裏面側に向けて傾斜する傾斜面が形成され、前記開口部の内周部に嵌合片が設けられ、裏面側が車室内に固定されるベース部材と、
断面が円弧形状となるように湾曲する板ばね本体の両端に嵌合突起が形成された板ばねと、
前記板ばね本体の形状に沿った形状をなし、前記板ばね本体が固定される板ばね固定部を有し、この板ばね固定部の延長部に傾斜接触面が形成された取付部材と、を有し、
前記取付部材の板ばね固定部に前記板ばねの板ばね本体を固定し、前記板ばねの嵌合突起に前記ベース部材の嵌合片を嵌合させ、前記ベース部材の傾斜面に前記取付部材の傾斜接触面を当接させて、アクセサリ本体を保持することを特徴とする車室内アクセサリ保持装置。
【発明の詳細な説明】
技術分野
本発明は、車室内に設けられるアクセサリ、たとえば車室内ミラーやテレビカメラなどを保持する車室内アクセサリ保持装置に関するものである。
背景技術
車室内には、後方を視認するための車室内ミラーが設けられており、近年においては、車両の機能向上のために、車室内にテレビカメラなどが設けられている場合がある。このような車室内ミラーやテレビカメラなどのアクセサリは、車室内の一部に突出して取り付けられている。このアクセサリに乗員がぶつかったときに、乗員が怪我をするのを防止するために、アクセサリに大きな衝撃が加わると、アクセサリが車室内から離脱する構造として、安全性を確保している。しかし、通常時にアクセサリが車室から離脱してもいけないので、アクセサリは、ある程度の荷重で保持され、所定の大きさを超える衝撃が加わった場合に、離脱する構造となっている。
かかる構造を有する車室内アクセサリ保持装置として、従来、車室内にベース部材を固定し、このベース部材に皿ばねを設けたものが知られている。この車室内アクセサリ保持装置では、皿ばねの弾性力でアクセサリの一部に設けた取付部を保持している。そして、アクセサリに所定の大きさを超える衝撃が加わった場合に、皿ばねが破壊されて、アクセサリが車室内から離脱するように構成されている。
しかし、前記従来の車室内アクセサリ保持装置では、皿ばねの中心部から均等に保持力を発揮させていた。このため、アクセサリに加わる衝撃の方向によっては、小さな衝撃力でも離脱しやすく、あるいは逆に大きな衝撃力でも離脱しにくくなる傾向が見られた。また、いったん皿ばねが破壊された場合には、その皿ばねを使用することができなくなるという問題があった。さらに、皿ばねにアクセサリを取り付ける際、ベースにアクセサリを取り付けてからベースを車室内に取り付ける必要があり、その取り付けに手間が掛かるものであった。
そこで、本発明の課題は、アクセサリに対していろいろな方向から衝撃力が加わった場合でも、所定の大きさの衝撃力を超える場合には、アクセサリが確実に離脱して、乗員の安全性を高めるとともに、複数回の使用が可能であり、取付が簡単である車室内アクセサリ装置を提供することにある。
発明の開示
前記課題を解決する本発明の車室内アクセサリ保持装置は、表面側に開口部が形成され、この開口部の外周部に外側が裏面側に向けて傾斜する傾斜面が形成され、前記開口部の内周部に嵌合片が設けられ、裏面側が車室内に固定されるベース部材と、断面が円弧形状となるように湾曲する板ばね本体の両端に嵌合突起が形成された板ばねと、前記板ばね本体の形状に沿った形状をなし、前記板ばね本体が固定される板ばね固定部を有し、この板ばね固定部の延長部に傾斜接触面が形成された取付部材と、を有し、前記取付部材の板ばね固定部に前記板ばねの板ばね本体を固定し、前記板ばねの嵌合突起に前記ベース部材の嵌合片を嵌合させ、前記取付部材の傾斜面に前記取付部材の傾斜接触面を当接させて、前記アクセサリ本体を保持することを特徴とする。
発明を実施するための最良の形態
以下、本発明の実施の形態を、図面を参照しながら、具体的に説明する。
第１図は、本発明に係る車室内アクセサリ保持装置の分解斜視図、第２図はベース部材を表面側からみた斜視図である。第１図に示すように、車室内アクセサリ保持装置Ｈは、ベース部材１と、板ばね２と、取付部材３とを有している。
ベース部材１は、第２図にも示すように、表面側に開口部１１が形成されており、裏面側には裏面板１２が設けられている。裏面板１２は、車室内におけるたとえばフロントガラスＦの内側上部にたとえば接着などによって固定される。あるいは、フロントガラスＦの上部の天板に図示しないボルトなど固定される。で開口部１１の外周両側部には、裏面側に向けて下降するように傾斜する傾斜面１３，１４が形成されている。さらに、傾斜面１３，１４が形成されている位置の開口部内周側には、それぞれ嵌合片１５，１６が設けられている。そして、傾斜面１３，１４には、取付部材３が接触し、嵌合片１５，１６には、板ばね２が嵌合される。嵌合片１５，１６のそれぞれの端部を繋ぐようにして、リブ１７，１８が設けられている。リブ１７，１８の表面は平坦に形成されている。
板ばね２は、第１図に示すように、板ばね本体２１と、嵌合突起２２，２３により構成されている。板ばね本体２１は、薄板を、断面が円弧形状となるように湾曲して形成されており、円弧の解放部が開く方向に付勢力を与えている。嵌合突起２２，２３は、板ばね本体２１における両端辺に沿ってそれぞれ形成されており、板ばね本体２１の周方向外側に突出している。これらの嵌合突起２２，２３に対して、ベース部材１の嵌合片１５，１６がそれぞれ嵌合されて、板ばね２を保持している。
また、中央部には、タッピングスクリュ６が貫通するスクリュ孔２４が形成されており、スクリュ孔２４の両側には、それぞれダボ穴２５，２６が形成されている。
取付部材３は、アクセサリ本体であるインナミラー４の背面部に取り付けられたステー５の端部に設けられている。取付部材３は、ケース３１を有しており、このケース３１がステー５の先端に取り付けられている。ケース３１の内部の中央位置には、板ばね固定部３２が設けられている。板ばね固定部３２は、表面が板ばね２における板ばね本体２１の湾曲した形状に沿った溝状の形状をなしている。
板ばね固定部３２の前後方向に沿った延長部位には、傾斜接触面３３，３４がそれぞれ形成されている。傾斜接触面３３，３４は、それぞれベース部材１における傾斜面１３，１４とほぼ同一の傾斜が付されている。そして、取付部材３がベース部材１に取り付けられた際には、ベース部材１の傾斜面１３，１４と取付部材３の傾斜接触面３３，３４がそれぞれ接触するようになっている。
板ばね固定部３２の中央には、ネジ溝３５が形成されており、その両側には位置決めダボ３６，３７がそれぞれ形成されている。位置決めダボ３６，３７を板ばね２のダボ穴２５，２６にそれぞれ挿入して、取付部材３に対する板ばね２の位置決めを行う。また、板ばね２ののスクリュ孔２４にタッピングスクリュ６を貫通させ、ネジ溝３５に対してタッピングスクリュ６をねじ込み、タッピングスクリュ６の頭部と板ばね固定部３２の間に板ばね本体２１を挟み込むことにより、板ばね２が取付部材３に対して固定されている。
取付部材３における傾斜接触面３３，３４の両端部は、それぞれ当接フランジ３８，３９によって繋がれている。当接フランジ３８，３９は、表面が平坦とされており、ベース部材１のリブ１７，１８の表面とそれぞれ接触するようになっている。
次に、ベース部材１、板ばね２、および取付部材３が組み付けられた状態について、第１図、第３図、および第４図を参照して説明する。
まず、車両におけるフロントガラスＦに対して、ベース部材１が適宜の方法、たとえば接着されて固定されている。また、タッピングスクリュ６によって板ばね本体２１が取付部材３の板ばね固定部３２に締め付けられることにより、板ばね２が取付部材３に固定されている。ここで、板ばね固定部３２は、板ばね本体２１に沿った形状をなしているので、板ばね本体２１の表面は、取付部材３の板ばね固定部３２にほぼ全面にわたって接触した状態で固定されている。また、取付部材３に設けられた位置決めダボ３６，３７には、板ばね２におけるダボ穴２５，２６が挿入されている。この位置決めダボ３６，３７をダボ穴２５，２６に挿入することにより、取付部材３に対して板ばね２が位置決めされる。
フロントガラスＦに固定されたベース部材１には、取付部材３が取り付けられている。このとき、板ばね２における嵌合突起２２．２３がそれぞれベース部材１の嵌合片１５，１６に嵌合されている。いま、板ばね２は嵌合突起２２，２３を押し広げる方向に付勢していることから、この付勢力によって板ばね２および板ばね２が固定された取付部材３を落下しないように保持することができる。さらに、ベース部材１の傾斜面１３，１４には、取付部材３の傾斜接触面３３，３４が接触している。このとき、傾斜面１３，１４と傾斜接触面３３，３４との間には、板ばね２の付勢力は影響しておらず、単に接触しているのみである。
このように、フロントガラスＦに固定されたベース部材１に対して、取付部材３を有するインナミラー４を取り付けることができるので、その取付作業を容易なものとすることができる。またインナミラー４が離脱した場合にも、板ばね２の弾性は維持されているので、板ばね２が壊れるまでは、再び容易に取り付けることができる。
かくして形成された車室内アクセサリ保持装置Ｈにおいては、乗員がぶつかるなどして、衝撃力が与えられる場合がある。この衝撃力がいろいろな方向から加わった場合でも、ベース部材１と取付部材３の間に確実に伝達されるように構成されている。この衝撃力の伝達について、衝撃力が与えられる方向に分けて、第４図〜第７図を参照して説明する。
第５図（ａ）に示すように、インナミラー４（図１）の正面からの衝撃力Ｐ１が与えられると、点ｅで板ばね２の第１嵌合突起２２がベース部材１の第１嵌合片１５の方向に押圧されて、第５図（ｂ）に示すように板ばね２が撓む。板ばね２の撓みに伴い、取付部材３の第２傾斜接触面３４がベース部材１の第２傾斜面１４に沿って下方にスライドし、点ｄにおいて嵌合していた板ばね２の第２嵌合突起２３がベース部材１の第２嵌合片１６から離脱する。そして、インナミラー４は、その自重により下方に落下して車室に固定されたベース部材１から離脱する。このように、取付部材３がベース部材１からスライドすることによって、インナミラー４は、車室から円滑に離脱するようになっている。
第６図（ａ）に示すように、インナミラー４の上方向から衝撃力Ｐ２が与えられると、点ｅで板ばね２の第１嵌合突起２２がベース部材１の第１嵌合片１５の方向に押圧される。その結果、第６図（ｂ）に示すように、板ばね２が撓むとともに、点ｅを中心とする回転モーメントが板ばね２に作用する。そして、取付部材３の第２傾斜接触面３４は、ベース部材１の第２傾斜面１４から離反する方向に移動し、点ｄにおいて取付部材３の第２嵌合突起２３がベース部材１の第２嵌合片１６から離脱する。このように、取付部材３に対して回転モーメントが作用することによって、インナミラー４はベース部材１が固定された車室から円滑に離脱する。
インナミラー４の下方向から衝撃力が与えられると、上方向から衝撃力が与えられた場合とは逆に、第６図（ａ）に示す点ｄで板ばね２の第２嵌合突起２３がベース部材１の第２嵌合片１６の方向に押圧される。その結果、板ばね２が撓むとともに、点ｄを中心とする回転モーメントが板ばね２に作用する。そして、取付部材３の第１傾斜接触面３３は、ベース部材１の第１傾斜面１３から離反する方向に移動し、点ｅにおいて取付部材３の第１嵌合突起２２がベース部材１の第１嵌合片１５から離脱する。このように、取付部材３に対して回転モーメントが作用することによって、インナミラー４はベース部材１が固定された車室から円滑に離脱する。
第７図（ａ）に示すように、インナミラー４の左方からの衝撃力Ｐ３が与えられると、第７図（ｂ）に示す軸ａ回りのＸ方向にステー５および取付部材３が回転する。取付部材３がＸ方向に回転すると、板ばね２の嵌合突起２２，２３の左端部２２Ａ，２３Ａと、右端部２２Ｂ，２３Ｂは、それぞれ相反する方向を向いて回転移動する。すると、取付部材３の傾斜接触面３３，３４におけるベース部材１３，１４との接触位置は、次第に内側に移動していく。その結果、傾斜接触面３３，３４が傾斜面１３，１４にそれぞれ乗り上げ、取付部材３は、ベース部材１から離反する方向に移動しようとする。その一方、板ばね２では、嵌合突起２２Ａ，２３Ａおよび２２Ｂ，２３Ｂの両側においてそれらの間の距離が狭められる方向に力が働くので、板ばね２が全体的に中央方向に向けて撓み、ベース部材１の嵌合片１５，１６から離脱する。そして、嵌合突起２２，２３による保持力の一部を失ったインナミラー４は、その自重等により、そのまま下方に落下するなどしてベース部材１から完全に離脱する。また、インナミラー４の右方から衝撃力が与えられた場合でも、同様の作用により、インナミラー４がベース部材１から離脱する。このように、取付部材３が軸ａ回りに回転することによって、インナミラー４をベース部材１が固定された車室から円滑に離脱させることができる。
以上説明した実施形態では、ベース部材をフロントガラスＦの内側上部に接着して固定しているが、そのほか、フロントガラスＦの他の位置、フロントガラスＦの周囲の枠、あるいは天板など、適宜の位置に固定することができる。また、アクセサリとしてインナミラーを挙げているが、たとえばテレビカメラや携帯電話ホルダなどとすることもできる。この場合、ベース部材はたとえばインストルメントパネルやドアの内板などに設けることもできる。
以上の説明のとおり、本発明によれば、アクセサリに対していろいろな方向から衝撃力が加わった場合でも、所定の大きさの衝撃力を超える場合には、アクセサリが確実に離脱するようにすることができる。したがって、アクセサリにぶつかった乗員の安全性を確保することができる。また、板ばねが破損しない限り複数回の使用が可能である。しかも、取付が簡単なものとすることができる。
【図面の簡単な説明】
第１図は、本発明に係る車室内アクセサリ保持装置の分解斜視図である。
第２図は、ベース部材を表面側からみた斜視図である。
第３図は、組み付けた状態の車室内アクセサリ保持装置の側面図である。
第４図は、第３図の要部拡大断面図である。
第５図は、正面からの衝撃により、ベース部材から取付部材が離脱する状態を説明するための側面から見た説明図である。
第６図は、上側からの衝撃によりベース部材から取付部材が離脱する状態を説明するための側面から見た説明図である。
第７図は、側面からの衝撃によりベース部材から取付部材が離脱する状態を説明するための上側から見た説明図である。
【図１】
0004054308.tif 000002
【図２】
0004054308.tif 000003
【図３】
0004054308.tif 000004
【図４】
0004054308.tif 000005
【図５】
0004054308.tif 000006
【図６】
0004054308.tif 000007
【図７】
0004054308.tif 000008